(57)【要約】【課題】スピーカシステムの振動板の背面の音が、フレー厶や磁気回路部に衝突し、反射が生じたり自由な放射が妨げられ、前面への音波の放射に悪影響を与えることがなく、フレームや磁気回路構成部品が振動板の音波の放射を妨げず、ノイズの少ない響きの美しい高音質なスピーカを提供することを課題としている。【解決手段】振動板の前面側と背面側にホーンを配し、磁気回路構成部品とボイスコイルをホーンロード外に配した構造とし、ホーンロードの外にあるボイスコイルと、ホーンロード内の振動板を連結部材を介して接着結合し、振動板を振動させる構造とすることで、課題の解決手段とした。【選択図】      図１
2005197849.tif 000002
【特許請求の範囲】
【請求項１】
振動板の前面側と背面側にホーンを配したスピーカユニットにおいて、磁気回路構成部品とボイスコイルをホーンロード外に配した構造としたことを特徴とするスピーカユニット。
【請求項２】
ホーンロードの外にあるボイスコイルのピストン運動を連結部材を介してホーンロード内の振動板に接着結合し、振動板を振動させる構造を特徴とするスピーカユニット。
【発明の詳細な説明】
【技術分野】
【０００１】本発明は、音声信号を音響に変換するスピーカユニットに関する。
【背景技術】
【０００２】従来のスピーカユニットの例として、図５や図６に示すような厶ービング・コイル型のものが用いられている。強い磁界内に置かれたボイスコイルに音声電流を流してボイスコイルをピストン運動させ、その振動を円錐形やドーム形の振動板に伝えて空気を振動させるものである。また、図７に示すような振動板の前面にホーンを付けたホーン型などが普及している。【０００３】ところで、上述のスピーカユニットを用いたスピーカ装置においては、振動板１４、２２、２８が振動することで、この振動板の前面に放射される音波以外に、この振動板の背面に位相が１８０度異なる音波が放射される。この背面の音がスピーカ装置内において、音の反響や音による振動を引き起こし前面から出る音に悪影響を与えることから振動板の背面から出た音を吸収するため、スピーカボックスやバックキャビティに種々の吸音材を配設した製品が普及している。【０００４】しかし、楽器の発する生の音に比べ、従来のスピーカの場合晴れやかさに欠け、音量を上げるとうるさくなる傾向がある。その一因として、振動板の背面の音が、フレーム１７や磁気回路部２０、２５、３０に直ちに衝突し反射が生じたり、自由な放射が妨げられ、これによって振動板１４、２２、２８の自由な動きが拘束され前面への音波の放射にも悪影響を与え、忠実な原音の再生を妨げていた。【０００５】また、従来のスピーカの場合振動板の背面側の空間が狭い為、前面に比べ背圧が高くなり、振動板の動きを妨げる現象が発生していた。
【発明の開示】
【発明が解決しようとする課題】
【０００６】上記した従来のスピーカシステムでは、振動板の背面の音が、フレーム１７や磁気回路部２０、２５、３０に直ちに衝突し、反射が生じたり自由な放射が妨げられ、これによって振動板１４、２２、２８の自由な動きが拘束され前面への音波の放射にも悪影響を与え、忠実な原音再生を妨げていた。【０００７】また、振動板の背面の空間が狭い為、前面に比べ背圧が高くなり振動板１４、２２、２８の動きを妨げる現象が発生していた。【０００８】この発明は上記した点に鑑みてなされたもので、その目的は、振動板にかかる背圧を前面と同等にし、フレームや磁気回路部が振動板の音波の放射を妨げず、ノイズの少ない響きの美しい高音質なスピーカを提供することを課題としている。
【課題を解決するための手段】
【０００９】本発明のスピーカユニットにおいては、振動板の前面側と背面側にホーンを配し、磁気回路構成部品とボイスコイルをホーンロード外に配した構造とし、ホーンロードの外にあるボイスコイルのピストン運動を連結部材を介してホーンロード内の振動板に接続し、振動板を振動させる構造とすることで、前記課題の解決手段とした。
【発明の効果】
【００１０】本発明のスピーカユニットは、振動板の背面の音がフレームや磁気回路部に衝突し反射が生じたり、自由な放射が妨げられることなく背面方向に放射されるため、振動板の自由な動きが拘束されず、前面への音波の放射にも悪影響を与えることなく、より忠実な原音再生を行なうことができる。【００１２】また、振動板の背面が開放されているので、振動板の前後の負荷抵抗の差が少なく、信号に対する振動板の追随性が良くなり、音質を向上させることができる。特に中高音用のスコーカー、ツイターとして使用することでノイズの少ない響きの美しい原音再生を行うことができる。
【発明を実施する為の最良の形態】
【００１３】図１、図２は、本発明のスピーカユニットの一例を示したもので、図１は断面図、図２は斜視図である。図中符号１は振動板で、木または、カーボンファイバーまたは、プラスティック等からなりその外周の符号２のエッジを介して符号４のホーンの前後中間付近に取り付けられている。
【００１４】符号４はホーンで、木または、金属または、プラスティック等からなり、振動板の前面側と背面側に開口面を有することを特徴とし、およそ１３０度前後の角度で背中合わせにホーンを配した構造となっている。また、ボイスコイルのピストン運動を振動板につなぐ為の連結部材を通す穴が空けられている。
【００１５】符号６は、磁気回路部で永久磁石、センターポール、トッププレートからなり、背面側のホーンの音道や開口部をふさがないようにホーンに取り付けられている。
【００１６】符号３は連結部材で、木または、金属または、カーボンファイバー等からなり符号１の振動板と符号７のボイスコイルに接着結合されていて、ボイスコイルが振動すると振動板も振動する構造となっている。
【００１７】本発明のスピーカユニットは、背面方向にも音波が放射されるため、低音用エンクロージャ等の上に載せた形で取り付け、マルチウエイ方式の中高音用のスコーカー、ツイターユニットとして使用することができる。
【００１８】図３、図４は、本発明のスピーカユニットの他の一例を示したもので、図３は断面図、図４は斜視図である。図中符号８は振動板で、木または、カーボンファイバーまたは、プラスティック等からなりその外周の符号１２のエッジを介して符号１０のホーンの前後中間付近に取り付けられている。
【００１９】符号１０はホーンで、木または、金属または、プラスティック等からなり、振動板の前面側と背面側に開口面を有することを特徴とし、ホーンロードが二股に分かれ、およそ９０度前後の角度で開口しているものが背中合わせに付いた構造となっている。また、ボイスコイルのピストン運動を振動板につなぐ為の連結部材を通す穴が空けられている。
【００２０】符号１１は、磁気回路部で永久磁石、センターポール、トッププレートからなり、背面側のホーンの音道や開口部をふさがないようにホーンとホーンの股の間に取り付けられている。
【００２１】符号９は連結部材で、木または、金属または、カーボンファイバー等からなり符号８の振動板と符号１３のボイスコイルに接着結合されていて、ボイスコイルが振動すると振動板も振動する構造となっている。
【００２２】本発明のスピーカユニットは、背面方向にも音波が放射されるため、低音用エンクロージャ等の上に載せた形で取り付け、マルチウエイ方式の中高音用に広範な指向性を有したスコーカーまたは、ツイターユニットとして使用することができる。
【図面の簡単な説明】
【００２３】
【図１】本発明のスピーカユニットの一例の断面図である。
【図２】本発明のスピーカユニットの一例の斜視図である。
【図３】本発明のスピーカユニットの他の一例の断面図である。
【図４】本発明のスピーカユニットの他の一例の斜視図である。
【図５】従来のコーン状の振動板を用いたスピーカユニットの一例を示した断面図。
【図６】従来のドー厶状の振動板を用いたスピーカユニットの一例を示した断面図。
【図７】従来のホーン形のスピーカユニットの一例を示した断面図である。
【符号の説明】
【００２４】  １  振動板
２  エッジ
３  連結部材
４  ホーン
５  ダンパ
６  磁気回路部
７  ボイスコイル
８  振動板
９  連結部材
１０  ホーン
１１  磁気回路部
１２  エッジ
１３  ボイスコイル
１４  振動板
１５  エッジ
１６  ダンパ
１７  フレーム
１８  ボイスコイル
１９  吸音材
２０  磁気回路部
２１  エンクロジャー
２２  振動板
２３  エッジ
２４  フレーム
２５  磁気回路部
２６  吸音材
２７  ボイスコイル
２８  振動板
２９  ホーン
３０  磁気回路部
３１  ボイスコイル
３２  吸音材
【図１】
2005197849.tif 000003
【図２】
2005197849.tif 000004
【図３】
2005197849.tif 000005
【図４】
2005197849.tif 000006
【図５】
2005197849.tif 000007
【図６】
2005197849.tif 000008
【図７】
2005197849.tif 000009